(57)【要約】    【課題】  愛玩動物を失った飼い主の虚しい心情を和ませる愛玩動物用棺を提供すること、及び、葬祭行事を挙行し得る祭壇を棺本体に具備する愛玩動物用棺を提供することを課題とする。    【解決手段】  愛玩動物の遺体を安置するための本発明に係る愛玩動物用棺１は、愛玩動物の遺体を納める棺本体２と、この棺本体２の上面から起立する光背３とを備える。光背３は、棺本体２の背面側に位置する中央壁部７と、棺本体２の側面側に位置する側壁部８，８と、これらの中央壁部７及び側壁部８，８で囲まれて棺本体２の上面より高く位置する祭壇部９とを有し、この祭壇部９に遺影１０及び花１１，１１を供える。    【選択図】  図１
2005349072.tif 000002
【特許請求の範囲】
【請求項１】
愛玩動物の遺体を安置するための愛玩動物用棺であって、愛玩動物の遺体を納める棺本体と、この棺本体の上面から起立する光背とを備えていることを特徴とする愛玩動物用棺。
【請求項２】
棺本体及び光背は、ダンボール紙で作製されていることを特徴とする請求項１に記載の愛玩動物用棺。
【請求項３】
棺本体及び光背は、表面に直接印刷が施されたダンボール紙、又は表面に印刷層がラミネートされたダンボール紙で作製されていることを特徴とする請求項１に記載の愛玩動物用棺。
【請求項４】
棺本体の上面に見送り窓が設けられていることを特徴とする請求項１から３のいずれかに記載の愛玩動物用棺。
【請求項５】
光背の輪郭が愛玩動物の顔の輪郭に模されていることを特徴とする請求項１から４のいずれかに記載の愛玩動物用棺。
【請求項６】
棺本体と光背とは別体であり、光背を棺本体に取り付けるための取付部が光背の下部に設けられていることを特徴とする請求項１から５のいずれかに記載の愛玩動物用棺。
【請求項７】
棺本体は、棺本体の上面を提供する中蓋部材と、棺本体の上面以外の面を提供する本体部材とで構成されており、これらの中蓋部材と本体部材とは別体であることを特徴とする請求項６に記載の愛玩動物用棺。
【請求項８】
光背は、棺本体の背面側に位置する中央壁部と、棺本体の側面側に位置する側壁部と、これらの中央壁部及び側壁部で囲まれて棺本体の上面より高く位置する祭壇部とを有していることを特徴とする請求項６又は７に記載の愛玩動物用棺。
【請求項９】
光背を取り外した状態の棺本体の上面を覆う上蓋部材を備えていることを特徴とする請求項６から８のいずれかに記載の愛玩動物用棺。
【請求項１０】
棺本体と光背とは一体であり、光背は、棺本体の上面を覆う上蓋部材と兼用されていることを特徴とする請求項１から５のいずれかに記載の愛玩動物用棺。
【請求項１１】
光背は、上蓋部材を上方に山折りすることにより構成され、上蓋部材の表面が光背の表面に転化されることを特徴とする請求項１０に記載の愛玩動物用棺。
【請求項１２】
上蓋部材の山折り姿勢を保持するために棺本体の上面に差込可能な舌片部が上蓋部材の縁部に設けられていることを特徴とする請求項１１に記載の愛玩動物用棺。
【請求項１３】
愛玩動物の遺体を安置するための愛玩動物用棺の組立キットであって、愛玩動物の遺体を納める棺本体の上面を提供する中蓋部材の展開シートと、上記棺本体の上面以外の面を提供する本体部材の展開シートと、上記棺本体の上面から起立する光背の展開シートと、上記棺本体の中に愛玩動物の遺体と共に納める納棺用付属品及び／又は上記棺本体に供える装飾用付属品を収納した付属品箱とが包装されていることを特徴とする愛玩動物用棺の組立キット。
【請求項１４】
付属品箱の蓋は、光背を取り外した状態の棺本体の上面を覆う上蓋部材に兼用可能であることを特徴とする請求項１３に記載の愛玩動物用棺の組立キット。
【発明の詳細な説明】
【技術分野】
【０００１】
本発明は、イヌ、ネコ、ハムスター、モルモット等の哺乳動物をはじめ、鳥類、魚類、両生類、爬虫類、昆虫等、広く愛玩動物一般に好ましく適用可能な愛玩動物用棺と、その組立キットとに関し、愛玩動物のための葬祭用具の技術分野に属する。なお、愛玩動物は、一般に、ペットあるいはコンパニオンアニマル等と称されるが、本願では愛玩動物で統一する。
【背景技術】
【０００２】
現代は、人と愛玩動物との共存・共生社会であるといわれる。近年頓に、マンション等の共同住宅をはじめ、ホテルや飲食店等の公共の場所で、愛玩動物の同伴が広く許可されるようになっている。愛玩動物は、子供の情操教育に役立ち、子供のいない夫婦や独居者の孤独感を癒す効用があるのみならず、身体障害者や災害被災者等にとってはかけがえのない心の支えであり、人生の伴侶である。したがって、長年飼い続けた愛玩動物が死亡したときに、手厚く葬ってあげたいという気持ちが生じるのも至極当然といえる。
【０００３】
例えば、特許文献１には、曲線や曲面を用いて意匠性を高めた愛玩動物用の棺が開示されている。棺の中にはレース生地のカーテンを配したり、化粧布で覆った床台を敷いたりして、愛玩動物の安らかな旅立ちを演出すると共に、愛玩動物を失った飼い主の虚しい気持ちを充足することが図られている。
【０００４】
【特許文献１】特開平７−２８９１１０公報（図６）
【発明の開示】
【発明が解決しようとする課題】
【０００５】
しかし、従来の愛玩動物用棺は、いくら形状に工夫を凝らしても、愛玩動物の遺体を納める箱形状の棺本体のみで構成されているから、いまひとつ装飾性に欠け、その結果、荘厳さや美麗さが不充分で、遺体を納棺してから通夜や葬儀等のセレモニーが済むまでの間、愛玩動物の遺体を安置する環境として物足りなさが残るものであった。
【０００６】
また、通夜や葬儀等においては、遺影を立てたり、花を手向けたり、ローソクを灯したり、線香をあげたり、種々の葬祭行事が行われるが、従来の愛玩動物用棺には、それを挙行するための祭壇が備えられていなかったから、棺と祭壇とを別々に準備しなければならず、その結果、全体に統一感がなく、見栄えに劣るものであった。
【０００７】
本発明は、上記のような現状に鑑みてなされたもので、第１に、従来にない荘厳さや美麗さを演出して、愛玩動物を送る飼い主の虚しい心情をより和ませ満足させ得る愛玩動物用棺及びその組立キットを提供すること、第２に、葬祭行事を挙行し得る祭壇を棺本体に具備して、棺本体と祭壇との全体的な見栄えが改善された愛玩動物用棺及びその組立キットを提供することを主たる課題とする。
【課題を解決するための手段】
【０００８】
すなわち、本願の請求項１に記載の発明は、愛玩動物の遺体を安置するための愛玩動物用棺であって、愛玩動物の遺体を納める棺本体と、この棺本体の上面から起立する光背とを備えていることを特徴とする。
【０００９】
次に、請求項２に記載の発明は、上記請求項１に記載の愛玩動物用棺において、棺本体及び光背は、ダンボール紙で作製されていることを特徴とする。
【００１０】
次に、請求項３に記載の発明は、上記請求項１に記載の愛玩動物用棺において、棺本体及び光背は、表面に直接印刷が施されたダンボール紙、又は表面に印刷層がラミネートされたダンボール紙で作製されていることを特徴とする。
【００１１】
次に、請求項４に記載の発明は、上記請求項１から３のいずれかに記載の愛玩動物用棺において、棺本体の上面に見送り窓が設けられていることを特徴とする。
【００１２】
次に、請求項５に記載の発明は、上記請求項１から４のいずれかに記載の愛玩動物用棺において、光背の輪郭が愛玩動物の顔の輪郭に模されていることを特徴とする。
【００１３】
そして、請求項６に記載の発明は、上記請求項１から５のいずれかに記載の愛玩動物用棺において、棺本体と光背とは別体であり、光背を棺本体に取り付けるための取付部が光背の下部に設けられていることを特徴とする。
【００１４】
次に、請求項７に記載の発明は、上記請求項６に記載の愛玩動物用棺において、棺本体は、棺本体の上面を提供する中蓋部材と、棺本体の上面以外の面を提供する本体部材とで構成されており、これらの中蓋部材と本体部材とは別体であることを特徴とする。
【００１５】
次に、請求項８に記載の発明は、上記請求項６又は７に記載の愛玩動物用棺において、光背は、棺本体の背面側に位置する中央壁部と、棺本体の側面側に位置する側壁部と、これらの中央壁部及び側壁部で囲まれて棺本体の上面より高く位置する祭壇部とを有していることを特徴とする。
【００１６】
次に、請求項９に記載の発明は、上記請求項６から８のいずれかに記載の愛玩動物用棺において、光背を取り外した状態の棺本体の上面を覆う上蓋部材を備えていることを特徴とする。
【００１７】
また、請求項１０に記載の発明は、上記請求項１から５のいずれかに記載の愛玩動物用棺において、棺本体と光背とは一体であり、光背は、棺本体の上面を覆う上蓋部材と兼用されていることを特徴とする。
【００１８】
次に、請求項１１に記載の発明は、上記請求項１０に記載の愛玩動物用棺において、光背は、上蓋部材を上方に山折りすることにより構成され、上蓋部材の表面が光背の表面に転化されることを特徴とする。
【００１９】
次に、請求項１２に記載の発明は、上記請求項１１に記載の愛玩動物用棺において、上蓋部材の山折り姿勢を保持するために棺本体の上面に差込可能な舌片部が上蓋部材の縁部に設けられていることを特徴とする。
【００２０】
一方、請求項１３に記載の発明は、愛玩動物の遺体を安置するための愛玩動物用棺の組立キットであって、愛玩動物の遺体を納める棺本体の上面を提供する中蓋部材の展開シートと、上記棺本体の上面以外の面を提供する本体部材の展開シートと、上記棺本体の上面から起立する光背の展開シートと、上記棺本体の中に愛玩動物の遺体と共に納める納棺用付属品及び／又は上記棺本体に供える装飾用付属品を収納した付属品箱とが包装されていることを特徴とする。
【００２１】
次に、請求項１４に記載の発明は、上記請求項１３に記載の愛玩動物用棺の組立キットにおいて、付属品箱の蓋は、光背を取り外した状態の棺本体の上面を覆う上蓋部材に兼用可能であることを特徴とする。
【発明の効果】
【００２２】
まず、請求項１に記載の発明によれば、愛玩動物の遺体を安置するための愛玩動物用棺において、愛玩動物の遺体を納める棺本体の他に、この棺本体の上面から起立する光背を備えたから、この光背によって、愛玩動物用棺は、装飾性に優れ、従来にない荘厳さや美麗さを具備して、愛玩動物の安らかな旅立ちを演出するだけでなく、遺体を納棺してから通夜や葬儀等のセレモニーが済むまでの間、愛玩動物の遺体を安置する環境として十分満足のいくものとなり、愛玩動物を送る飼い主の空虚な気持ちをより和ませ充足させ得るものとなる。
【００２３】
その場合に、請求項２に記載の発明によれば、棺本体及び光背をダンボール紙で作製したから、軽量で、女性や子供でも取り扱い易く、また焼却時に有毒ガスの発生することが抑制される。
【００２４】
また、請求項３に記載の発明によれば、棺本体及び光背を表面に直接印刷が施されたダンボール紙で作製したから、上記請求項２の効果に加えて、棺本体及び光背の表面に、愛玩動物に対する感謝の気持ちやお別れのメッセージ、あるいはイラストや似顔絵等を付与することができ、愛玩動物を送る飼い主の空虚な気持ちがより癒されることとなる。
【００２５】
さらに、請求項３に記載の発明によれば、棺本体及び光背を表面に印刷層がラミネートされたダンボール紙で作製したから、上記請求項２の効果に加えて、棺本体及び光背の表面の印刷が一段と美麗となり、愛玩動物に対する感謝の気持ちやお別れのメッセージ、あるいはイラストや似顔絵等がいっそう見栄えがよくなって、愛玩動物を送る飼い主の空虚な気持ちがより癒されることとなる。
【００２６】
次に、請求項４に記載の発明によれば、棺本体の上面に見送り窓を設けたから、遺体を納棺した後でも上記見送り窓を介していつでも愛玩動物の顔を見ることができ、通夜や葬儀の間に愛玩動物にお別れの挨拶をすることができる。
【００２７】
また、請求項５に記載の発明によれば、光背の輪郭を愛玩動物の顔の輪郭に模したから、いままで一緒に生活してきた愛玩動物を偲ぶことができると共に、この棺が愛玩動物のために用意された特別の棺であることが視認できる。
【００２８】
次に、請求項６に記載の発明によれば、棺本体と光背とを別体としたから、光背は棺本体に対して着脱自在となり、例えば通夜や葬儀が済んで出棺する際には光背を棺本体から取り外して棺の中に入れることができる。
【００２９】
しかも、光背を棺本体に取り付けるための取付部を光背に設けたから、光背が安定して棺本体に取り付けられるうえに、その取付部を光背の下部に配したから、取付部が目立つことがなく、光背の見栄えが劣化することがない。
【００３０】
次に、請求項７に記載の発明によれば、棺本体を、棺本体の上面を提供する中蓋部材と、棺本体の上面以外の面を提供する本体部材とで構成し、これらの中蓋部材と本体部材とを別体としたから、中蓋部材は本体部材に対して着脱自在となり、例えば遺体を棺本体に納棺する際には中蓋部材を本体部材から一時的に取り外して納棺の支障にならないようにすることができる。そして、遺体を納棺した後は、中蓋部材を再び本体部材に取り付けて、納棺した遺体をこころ安らかに棺本体の中に安置することができる。
【００３１】
そして、請求項８に記載の発明によれば、光背を、棺本体の背面側に位置する中央壁部と、棺本体の側面側に位置する側壁部とを有する構成としたから、これらの中央壁部及び側壁部によって、例えば側壁部のない光背と比べて光背の壮麗さが増す。
【００３２】
さらに、光背を、上記中央壁部及び側壁部で囲まれて棺本体の上面より高く位置する祭壇部を有する構成としたから、この祭壇部によって、この愛玩動物用棺は、単に愛玩動物の遺体を安置するだけでなく、通夜や葬儀等のセレモニーにおいて、遺影を立てたり、花を手向けたり、ローソクを灯したり、線香をあげたりする種々の葬祭行事を挙行し得る機能を具備することとなり、その結果、棺と祭壇とを別々に準備する必要がなくなり、棺本体と祭壇とに統一感が出て、全体的な見栄えが大きく改善される。
【００３３】
次に、請求項９に記載の発明によれば、光背を取り外した状態の棺本体の上面を覆う上蓋部材をさらに具備したから、例えば通夜や葬儀の後の出棺時には上蓋部材で棺本体の上面を覆うことにより、棺本体の壮麗さが増し、愛玩動物をより手厚く葬ってあげたという満足感が得られる。
【００３４】
一方、請求項１０に記載の発明によれば、棺本体と光背とを一体とし、光背を、棺本体の上面を覆う上蓋部材と兼用としたから、１つの部材を、例えば通夜や葬儀等のセレモニーの間は光背として用い、通夜や葬儀の後の出棺時には上蓋部材として用いることができて、部材の共用化・部品点数の軽減化が図られる。しかも、上記のように、光背と上蓋部材とでは使用される時期が違うので、１つの部材が無駄なく有効利用されることとなる。
【００３５】
その場合に、請求項１１に記載の発明によれば、光背を、上蓋部材を上方に山折りすることにより構成し、上蓋部材の表面を光背の表面に転化させたから、例えば光背使用時に上蓋部材の無粋な裏面が出現したり、逆に上蓋部材使用時に光背の無粋な裏面が出現したりすることがなく、常に同じ美麗な表面が現れることとなる。
【００３６】
また、請求項１２に記載の発明によれば、上蓋部材の山折り姿勢を保持するために棺本体の上面に差込可能な舌片部を上蓋部材の縁部に設けたから、上蓋部材が安定して棺本体の上面から光背として起立することとなる。
【００３７】
このように、上記請求項６から９に記載の発明は、棺本体と光背、あるいは棺本体を構成する中蓋部材と本体部材、さらには棺本体と光背と上蓋部材とがそれぞれ別体であるのに対し、上記請求項１０から１２に記載の発明では、棺本体と光背・上蓋兼用部材とが一体（つまりワンピース）である点で大きく相違する。
【００３８】
そして、請求項１３に記載の発明によれば、愛玩動物の遺体を安置するための愛玩動物用棺の組立キットにおいて、棺本体の上面を提供する中蓋部材の展開シートと、棺本体の上面以外の面を提供する本体部材の展開シートと、光背の展開シートと、種々の納棺用付属品及び／又は装飾用付属品を収納した付属品箱とを１つにまとめてワンセットに包装したから、需要者は、愛玩動物の死亡に際し、納棺、通夜、葬儀、出棺という一連のセレモニーに必要な葬祭用具を容易にワンセットで一時に入手できることとなる。
【００３９】
ここで、納棺用付属品としては、防水剤、防臭剤、防腐剤、保冷剤、芳香剤等が挙げられ、装飾用付属品としては、花立て、花（造花）、遺影ケース等が挙げられる。
【００４０】
しかもその場合に、棺本体や光背を組立前の展開した枚葉状のシートで包装するようにしたから、包装物は、薄く、嵩張らず、コンパクトになり、流通コストや保管コストの低減が図られると共に、包装物の取扱いも容易となる。
【００４１】
また、請求項１４に記載の発明によれば、付属品箱の蓋を、光背を取り外した状態の棺本体の上面を覆う上蓋部材と兼用可能としたから、１つの部材を、例えばこの愛玩動物用棺の組立前は付属品箱の蓋として用い、通夜や葬儀の後の出棺時には上蓋部材として用いることができて、部材の共用化・部品点数の軽減化が図られる。しかも、上記のように、付属品箱の蓋と上蓋部材とでは使用される時期が違うので、１つの部材が無駄なく有効利用されることとなる。以下、発明を実施するための最良の形態を通して、本発明をさらに詳しく説明する。
【発明を実施するための最良の形態】
【００４２】
［第１の実施の形態］
図１は、本発明の第１の実施形態に係る愛玩動物用棺１の全体構成を示す斜視図である。この愛玩動物用棺１は、主たる構成要素として、棺本体２と、光背３とを備えている。
【００４３】
棺本体２は、愛玩動物の遺体を納めるもので、本実施形態では、正面、背面、左側面、右側面、上面、及び底面の６つの平面で囲まれた概ね直方体形状とされている。棺本体２は、６面のうちの上面を提供する中蓋部材４と、上面以外の５面を提供する本体部材５とで構成されている。中蓋部材４には、棺本体２に安置された愛玩動物を見送るための窓６が形成されている。図例では、見送り窓６は楕円形であるが、これに限らず、円形、長円形、多角形等、他の形状であってもよい。
【００４４】
ここで、中蓋部材４と本体部材５とは相互に別体に作製されている。よって、中蓋部材４は、上面が開口した形状の本体部材５に対して、その開口を塞ぐように取り付けたり、あるいはその開口を開放するように取り外したりすることが自在にできる。なお、本実施形態では、本体部材５の左右の側面は、上縁部が背面側に高く傾斜した形状とされているが、上縁部が水平であっても別段構わない。
【００４５】
一方、光背３は、棺本体２を荘厳・美麗に装飾するもので、棺本体２の上面から上方へ向けて起立するように設けられている。その場合に、光背３は、棺本体２の背面側に位置する中央壁部７と、棺本体２の左右の側面側に位置する左右の側壁部８，８と、これらの中央壁部７及び側壁部８，８で囲まれて棺本体２の上面より１段高い位置に位置する祭壇部９とを有している。そして、この祭壇部９の中央に遺影１０が立て掛けられ、左右に１対の花１１，１１が立てられている。もちろんこれに限られず、祭壇部９は、ローソクを立てたり、線香を立てたり、種々の葬祭行事の用に供することができる。
【００４６】
ここで、この光背３と棺本体２とは相互に別体に作製されている。よって、光背３は、６つの平面で囲まれた箱形状の棺本体２に対して、その上面から起立するように取り付けたり、あるいは取り外したりすることが自在にできる。
【００４７】
また、光背３の輪郭が愛玩動物の顔の輪郭に模されている。図例では、中央壁部７の輪郭が上方に緩やかな弧を描いており、イヌやネコの頭部をイメージしていると共に、左右１対に丸い膨出部１２，１２が形成されて、これらで耳が象られている。
【００４８】
さらに、図示していないが、棺本体２及び光背３は、その表面の任意の部位に、直接、文字や図形あるいは模様の印刷が施されており、愛玩動物に対する感謝の気持ちやお別れのメッセージ、あるいはイラストや似顔絵等が付与されている。
【００４９】
次に、図２〜図４を参照して、この愛玩動物用棺１を図１に示す使用時の状態に組み立てる組み立て方を説明する。まず、図２に示すように、棺本体２の上面以外の５面を提供し、上面が開口した形状の本体部材５の中に、クッション材２１と、防水剤を和紙で包含した防水シート２２と、防臭剤を和紙で包含した防臭シート２３とを、この順に重ねて敷いていく。ここで、クッション材２１は底敷きの用をなし、防水シート２２は敷き布団の用をなし、防臭シート２３は掛け布団の用をなす。このとき、愛玩動物の遺体は、防水シート２２の上に安置し、その上に防臭シート２３を掛ける。
【００５０】
なお、図示しないが、他にも、遺体の頭部や腹部等に保冷剤を置いたり、遺体の周囲に防腐剤や芳香剤等を配置してもよい。
【００５１】
次いで、図３に示すように、本体部材５の上面開口に中蓋部材４を嵌め込んで上面開口を塞ぐ。このとき、愛玩動物の顔が見送り窓６から見えるように中蓋部材４を本体部材５に組み付ける。これにより、棺本体２が完成すると共に、その完成した棺本体２の中に納棺した遺体がこころ安らかに安置される。
【００５２】
ここで、本実施形態では、中蓋部材４は脚部１３，１３を備えており、この脚部１３，１３が本体部材５の底面に突き当たることにより、中蓋部材４が本体部材５に安定・確実に取り付けられる。図例では、脚部１３，１３は、上面に連続する前壁及び後壁で構成されているが、これに限らず、左右の側壁で構成してもよいし、あるいは上面の４隅から垂下する棒状の脚部等であってもよい。
【００５３】
次いで、図４に示すように、完成した棺本体２に光背３を差し込んで取り付ける。ここで、光背３は、祭壇部９に連続する前壁の下部１４が下方に延長されており、また左右の側壁部８，８の前部の下部１５，１５が同じく下方に延長されている。そして、前壁下部１４の下方延長部１４ａが中蓋部材４の後縁部と本体部材５の背面との間に差し込まれ、また左右側壁部前部下部１５，１５の下方延長部１５ａ，１５ａが中蓋部材４の左右側縁部と本体部材５の左右側面との間に差し込まれる。そして、上記前壁下部１４の下方延長部１４ａが棺本体２の底面に突き当たることにより、光背３が棺本体２に安定・確実に取り付けられる。
【００５４】
その場合に、図５に示すように、光背３の左右の側壁部８，８の後部の下部１６，１６が祭壇部９を越えて下方に延長されており、この左右側壁部後部下部１６，１６の下方延長部１６ａ，１６ａが内側に曲折されている。この曲折された下方延長部１６ａ，１６ａには、図６（ａ），（ｂ）に示すように、前方に突出する凸部１６ｂ，１６ｂが形成されており、この凸部１６ｂ，１６ｂが、光背３が棺本体２に取り付けられたときに、棺本体２の背面に形成された斜めスリット１６ｃ，１６ｃ（図２、図３参照）に嵌合する。これにより、光背３が後に倒れることなく、より一層安定・確実に棺本体２に取り付けられる。
【００５５】
つまり、本実施形態では、図６（ｂ）から明らかなように、光背３の祭壇部９が棺本体２の背面から後方にオーバーハングして、光背３の中央壁部７が棺本体２より後方の空間に浮かんだ状態となっている。したがって、光背３の重心が棺本体２より後方に位置し、光背３が後に倒れ易い構造となっている。そこで、祭壇部９の直下において、光背３と棺本体２の背面との間に、左右側壁部後部下部１６，１６の下方延長部１６ａ，１６ａを介在させることにより、光背３の後方への倒壊を回避するようにしたのである。
【００５６】
なお、上記前壁下部１４の下方延長部１４ａ、左右側壁部前部下部１５，１５の下方延長部１５ａ，１５ａ、及び左右側壁部後部下部１６，１６の下方延長部１６ａ，１６ａは、それぞれ、特許請求の範囲にいう「光背を棺本体に取り付けるための取付部」を構成する。また、図６（ａ）に図示した鎖線は、光背３の左右側壁部後部下部１６，１６の下方延長部１６ａ，１６ａが内側に曲折される前の位置を示している。
【００５７】
図４に戻り、光背３の祭壇部９には、左右１対に孔１７，１７が形成されており、この孔１７，１７に花立て１１ａ，１１ａを差し込み、該花立て１１ａ，１１ａに花１１，１１を手向ける。また、祭壇部９の中央に愛玩動物の遺影１０を立て掛ける。その場合に、遺影１０が祭壇部９の上を滑らないように、祭壇部９に遺影１０を係止するための凹溝又は突起を設けてもよい。
【００５８】
上記棺本体２及び光背３は、ダンボール紙で作製されている。図７に棺本体２の本体部材５の展開図（本体部材５の組立用展開シート２４）を、図８に棺本体２の中蓋部材４の展開図（中蓋部材４の組立用展開シート２５）を、図９に光背３の展開図（光背３の組立用展開シート２６）をそれぞれ示した。
【００５９】
図１０は、この愛玩動物用棺１を保管・流通・販売するときのパッケージ３０の外観を示す斜視図である。このパッケージ３０の外箱の中央部に貼付されたテープ３１をはがして外箱を開くと、上記図７〜図９に例示したような棺本体２の本体部材５の組立用展開シート２４と、棺本体２の中蓋部材４の組立用展開シート２５と、光背３の組立用展開シート２６とが１つにまとめて包装されている。
【００６０】
また、このパッケージ３０には、図１１に示すように、棺本体２の中に愛玩動物の遺体と共に納める種々の納棺用付属品及び／又は棺本体２に供える種々の装飾用付属品を収納した付属品箱３２も一緒に包装されている。ここで、納棺用付属品としては、前述したクッション材２１、防水シート２２、防臭シート２３、保冷剤、防腐剤、芳香剤等が挙げられる。また、装飾用付属品としては、前述した花立て１１ａ、花（造花）１１、遺影ケース１０、ローソク、線香等が挙げられる。さらに、記念品としてのネームプレートや、手引書としてのパンフレット類等も付属品として好適である。そして、オプションとして、事後に用いる位牌や、鉦、鈴、高杯等も付属品箱３２に収納しておいてもよい。
【００６１】
すなわち、このパッケージ３０に包装された内容物によって、愛玩動物の遺体を安置するための愛玩動物用棺１の組立キット１ａが提供される。
【００６２】
そして、図１１に示すように、上記付属品箱３２は、蓋３３と箱本体３４とからなり、そのうち、付属品箱３２の蓋３３は、図１２に示すように、光背３を取り外した状態の棺本体２の上面を覆う上蓋部材３３に兼用可能である。
【００６３】
以上、具体例を挙げて詳しく説明したように、本実施形態では、愛玩動物の遺体を安置するための愛玩動物用棺１において、愛玩動物の遺体を納める棺本体２の他に、この棺本体２の上面から起立する光背３を備えたから、この光背３によって、愛玩動物用棺１は、装飾性に優れ、従来にない荘厳さや美麗さを具備して、愛玩動物の安らかな旅立ちを演出するだけでなく、遺体を納棺してから通夜や葬儀等のセレモニーが済むまでの間、愛玩動物の遺体を安置する環境として十分満足のいくものとなり、愛玩動物を送る飼い主の空虚な気持ちをより和ませ充足させ得るものとなる。
【００６４】
その場合に、棺本体２及び光背３を、ダンボール紙で作製したから、軽量で、女性や子供でも取り扱い易く、また焼却時に有毒ガスの発生することが抑制される。
【００６５】
特に、棺本体２及び光背３を、表面に、直接、文字や図形あるいは模様の印刷が施されたダンボール紙で作製したから、棺本体２及び光背３の表面に、愛玩動物に対する感謝の気持ちやお別れのメッセージ、あるいはイラストや似顔絵等を付与することができ、愛玩動物を送る飼い主の空虚な気持ちがより癒されることとなる。もちろん、その他に、パッケージ３０の外箱や、付属品箱３２、花立て１１ａ、造花１１等も、ダンボール紙製、あるいは表面に直接印刷が施されたダンボール紙製としてよい。
【００６６】
また、棺本体２及び光背３、あるいはパッケージ３０の外箱や、付属品箱３２、花立て１１ａ、造花１１等を、表面に印刷層がラミネートされたダンボール紙で作製してもよい。その場合は、上記の効果に加えて、それらの表面の印刷が一段と美麗となり、愛玩動物に対する感謝の気持ちやお別れのメッセージ、あるいはイラストや似顔絵等がいっそう見栄えがよくなって、愛玩動物を送る飼い主の空虚な気持ちがより癒されることとなる。なお、印刷はダンボール紙の裏表両面に施してもよい。
【００６７】
次に、棺本体２の上面に見送り窓６を設けたから、遺体を納棺した後でも上記見送り窓６を介していつでも愛玩動物の顔を見ることができ、通夜や葬儀の間に愛玩動物にお別れの挨拶をすることができる。
【００６８】
また、光背３の輪郭を愛玩動物の顔の輪郭に模したから、いままで一緒に生活してきた愛玩動物を偲ぶことができると共に、この棺１が愛玩動物のために用意された特別の棺であることが視認できる。
【００６９】
そして、棺本体２と光背３とを別体としたから、光背３は棺本体２に対して着脱自在となり、例えば通夜や葬儀が済んで出棺する際には光背３を棺本体２から取り外して棺本体２の中に入れることができる。
【００７０】
しかも、光背３を棺本体２に取り付けるための取付部１４ａ，１５ａ，１６ａを光背３に設けたから、光背３が安定して棺本体２に取り付けられるうえに、その取付部１４ａ，１５ａ，１６ａを光背３の下部に配したから、取付部１４ａ，１５ａ，１６ａが目立つことがなく、光背３の見栄えが劣化することがない。
【００７１】
さらに、棺本体２を、棺本体２の上面を提供する中蓋部材４と、棺本体２の上面以外の面を提供する本体部材５とで構成し、これらの中蓋部材４と本体部材５とを別体としたから、中蓋部材４は本体部材５に対して着脱自在となり、例えば遺体を棺本体２に納棺する際には中蓋部材４を本体部材５から一時的に取り外して納棺の支障にならないようにすることができる。そして、遺体を納棺した後は、中蓋部材４を再び本体部材５に取り付けて、納棺した遺体をこころ安らかに棺本体２の中に安置することができる。
【００７２】
そして、光背３を、棺本体２の背面側に位置する中央壁部７と、棺本体２の側面側に位置する側壁部８とを有する構成としたから、これらの中央壁部７及び側壁部８によって、例えば側壁部のない光背と比べて光背３の壮麗さが増す。
【００７３】
加えて、光背３を、上記中央壁部７及び側壁部８で囲まれて棺本体２の上面より高く位置する祭壇部９を有する構成としたから、この祭壇部９によって、この愛玩動物用棺１は、単に愛玩動物の遺体を安置するだけでなく、通夜や葬儀等のセレモニーにおいて、遺影１０を立てたり、花１１を手向けたり、ローソクを灯したり、線香をあげたりする種々の葬祭行事を挙行し得る機能を具備することとなり、その結果、棺と祭壇とを別々に準備する必要がなくなり、棺本体２と祭壇部９とに統一感が出て、棺１の全体的な見栄えが大きく改善される。
【００７４】
次に、光背３を取り外した状態の棺本体２の上面を覆う上蓋部材３３をさらに具備したから、例えば通夜や葬儀の後の出棺時には上蓋部材３３で棺本体２の上面を覆うことにより、棺本体２の壮麗さが増し、愛玩動物をより手厚く葬ってあげたという満足感が得られる。
【００７５】
一方、本実施形態では、愛玩動物の遺体を安置するための愛玩動物用棺１の組立キット１ａにおいて、棺本体２の上面を提供する中蓋部材４の展開シートと、棺本体２の上面以外の面を提供する本体部材５の展開シートと、光背３の展開シートと、種々の納棺用付属品及び／又は装飾用付属品を収納した付属品箱３２とを１つにまとめてワンセットに包装したから、需要者は、愛玩動物の死亡に際し、納棺、通夜、葬儀、出棺という一連のセレモニーに必要な葬祭用具を容易にワンセットで一時に入手できることとなる。
【００７６】
しかもその場合に、棺本体２や光背３を組立前の展開した枚葉状のシートで包装するようにしたから、包装物（パッケージ３０）は、薄く、嵩張らず、コンパクトになり、流通コストや保管コストの低減が図られると共に、包装物（パッケージ３０）の取扱いも容易となる。
【００７７】
また、付属品箱３２の蓋３３を、光背３を取り外した状態の棺本体２の上面を覆う上蓋部材と兼用可能としたから、１つの部材３３を、例えばこの愛玩動物用棺１の組立前は付属品箱３２の蓋３３として用い、通夜や葬儀の後の出棺時には上蓋部材３３として用いることができて、部材の共用化・部品点数の軽減化が図られる。しかも、上記のように、付属品箱３２の蓋３３と上蓋部材３３とでは使用される時期が違うので、１つの部材３３が無駄なく有効利用されることとなる。
【００７８】
なお、本発明に係る愛玩動物用棺１は、イヌ、ネコ、ハムスター、モルモット等の哺乳動物に限らず、メダカ、金魚、熱帯魚等の観賞魚をはじめ、小鳥や爬虫類、あるいは両生類や昆虫等、広く愛玩動物一般に好ましく使用可能である。そして、弔う動物の大きさに応じて、Ｓ，Ｍ，Ｌサイズがあり、例えば最も小さいもので、３２０×２２０×１２０（ミリ：外寸法）のサイズ、逆に最も大きいもので、７００×４５０×２８０（ミリ：外寸法）のサイズである。
【００７９】
また、中蓋部材４の上に愛玩動物がお気に入りだった遊び道具や食べ物等を供えてもよい。その場合に、中蓋部材４の上面に印刷した文字や模様を好みや状況に応じて交換できるように、異なるデザインの中蓋部材４を、数種類、パッケージ３０に包装しておくと尚よい。あるいは、中蓋部材４の上に別のシート部材を敷くようにして、このシート部材を異なるデザインで、数種類、パッケージ３０に包装しておくこともできる。
【００８０】
さらに、通夜や葬儀に際して、付属品箱３２の蓋３３又は箱本体３４を棺１の前に置いて、その上に、お供え物や、ローソク立て、線香立て、焼香台等を載置することも可能である。
【００８１】
また、出棺時には、上蓋部材３３で棺本体２の上面を覆った上から、さらに、刺繍入り白布もしくは錦布等を包んで、棺１をより荘厳に手厚く取り扱うようにしてもよい。そして、棺１は、最終的に、保険所職員や葬祭業者等に手渡すこととなる。
【００８２】
その場合に、前述したように、本実施形態に係る愛玩動物用棺１は、棺本体２、光背３、上蓋部材３３、及びその他の構成部材がすべてダンボール紙製であるから、焼却したり、あるいは地中へ埋葬しても、有害物資は出ず、環境に対して悪影響を及ぼすことがない。もっとも、本発明に係る愛玩動物用棺１を生分解性樹脂で作製してもよい。
【００８３】
［第２の実施の形態］
次に、図１３〜図１７を参照して、本発明の第２の実施形態を説明する。なお、上記第１実施形態と同じ又は類似する構成要素には同じ符号を用いる。また、作用・効果については、上記第１実施形態と共通する部分については説明を省略し、この第２実施形態に特有の作用・効果についてのみ述べる。
【００８４】
この第２実施形態が、構成上、上記第１実施形態と最も大きく異なる点は、上記第１実施形態では、棺本体２と光背３、あるいは棺本体２を構成する中蓋部材４と本体部材５、さらには棺本体２と光背３と上蓋部材３３とがそれぞれ別体であったのに対し、この第２実施形態では、棺本体２と光背３あるいは上蓋部材３３とが一体である点、つまりワンピースである点である。
【００８５】
まず、図１３は、この第２実施形態に係る愛玩動物用棺１の全体構成を示す斜視図である。この愛玩動物用棺１は、主たる構成要素として、棺本体２と、光背３とを備えている。棺本体２は、愛玩動物の遺体を納めるもので、本実施形態では、正面、背面、左側面、右側面、上面、及び底面の６つの平面で囲まれた概ね直方体形状とされている。棺本体２は、６面のうちの上面を提供する中蓋部材４と、上面以外の５面を提供する本体部材５とで構成されている。中蓋部材４には、棺本体２に安置された愛玩動物を見送るための窓６が形成されている。ここで、中蓋部材４と本体部材５とは一体に作製されている。
【００８６】
一方、光背３は、棺本体２を荘厳・美麗に装飾するもので、棺本体２の上面から上方へ向けて起立するように設けられている。その場合に、光背３は、棺本体２の背面側に位置する中央壁部７のみ有している。ただし、この中央壁部７は、上部が後方にやや傾斜した前壁部７ａと、該前壁部７ａを背後で支える後壁部７ｂとの２重構造となっている。そして、上記前壁部７ａの中央に遺影１０が立て掛けられ、かつ、中蓋部材４に左右１対の孔１７，１７が形成されて、この孔１７，１７に花立て１１ａ，１１ａが差し込まれ、該花立て１１ａ，１１ａに花１１，１１が手向けられている。ここで、光背３と棺本体２とは一体に作製されている。そして、光背３は、棺本体２の上面を覆う上蓋部材３３と兼用されている（図１６参照：後述する）。
【００８７】
また、光背３の輪郭が愛玩動物の顔の輪郭に模されている。図例では、前壁部７ａの輪郭が上方に緩やかな弧を描いており、イヌやネコの頭部をイメージしていると共に、左右１対に丸い膨出部１２，１２が形成されて、これらで耳が象られている。
【００８８】
次に、図１４及び図１５を参照して、この愛玩動物用棺１を図１３に示す使用時の状態に組み立てる組み立て方を説明する。まず、図１４に示すように、この愛玩動物用棺１の上蓋部材３３と中蓋部材４とを共に開く。そして、棺本体２の上面以外の５面を提供し、上面が開口した状態の本体部材５の中に、図示しないが、第１実施形態と同様、クッション材２１と、防水剤を和紙で包含した防水シート２２と、防臭剤を和紙で包含した防臭シート２３とを、この順に重ねて敷いていく。ここで、クッション材２１は底敷きの用をなし、防水シート２２は敷き布団の用をなし、防臭シート２３は掛け布団の用をなす。このとき、愛玩動物の遺体は、防水シート２２の上に安置し、その上に防臭シート２３を掛ける。
【００８９】
なお、図示しないが、他にも、遺体の頭部や腹部等に保冷剤を置いたり、遺体の周囲に防腐剤や芳香剤等を配置してもよい。
【００９０】
次いで、図１５に示すように、上蓋部材３３を開いたまま、中蓋部材４のみを閉じて、本体部材５の上面開口を塞ぐ。このとき、愛玩動物の顔が見送り窓６から見えるように留意する。これにより、棺本体２が完成すると共に、その完成した棺本体２の中に納棺した遺体がこころ安らかに安置される。
【００９１】
ここで、本実施形態では、図１４に示したように、中蓋部材４は脚部１３，１３を備えており、この脚部１３，１３が本体部材５の底面に突き当たることにより、中蓋部材４が本体部材５に安定・確実に取り付けられる。図例では、脚部１３，１３は、上面に連続する左右の側壁で構成されているが、これに限らず、後壁で構成してもよいし、あるいは上面の４隅から垂下する棒状の脚部等であってもよい。
【００９２】
次いで、図１３に示すように、完成した棺本体２に光背３を起立させる。すなわち、上蓋部材３３を上方に山折りすることにより光背３を構成し、上蓋部材３３の表面を光背３の表面に転化する。その場合に、山折りした上蓋部材３３の前半部が光背３の傾斜した前壁部７ａとなり、後半部が光背３の後壁部７ｂとなって、光背３の２重構造が得られる。また、上蓋部材３３を山折りした際に、愛玩動物の顔の輪郭が上蓋部材３３の後半部から飛び出して出現することとなる。
【００９３】
さらに、この上蓋部材３３の山折り姿勢を保持するための舌片部４０，４０が、上蓋部材３３の前半部、つまり光背３の前壁部７ａの左右の両側縁部に１対設けられている（図１４、図１５参照）。この舌片部４０，４０は、棺本体２の上面において、中蓋部材４の左右側縁部と本体部材５の左右側面との間で、背面に近い部位に差し込まれる。
【００９４】
そして、中蓋部材４の左右１対の孔１７，１７に花立て１１ａ，１１ａを差し込み、該花立て１１ａ，１１ａに花１１，１１を手向ける。また、光背３の中央に愛玩動物の遺影１０を立て掛ける。その場合に、遺影１０が中蓋部材４の上を滑らないように、中蓋部材４の上面に遺影１０を係止するための凹溝又は突起を設けてもよい。
【００９５】
図１６は、この愛玩動物用棺１を保管・流通・販売するときのパッケージ３０の外観を示す斜視図である。つまり、この第２実施形態においては、愛玩動物用棺１のパッケージ３０は、上記中蓋部材４と上蓋部材３３とを共に閉じた棺本体２である。さらに、この上からシュリンクフィルム等でパッケージ３０の全体を密封すれば尚よい。
【００９６】
そして、このパッケージ３０に、前述したようなクッション材２１、防水シート２２、防臭シート２３、保冷剤、防腐剤、芳香剤等のほか、上記花立て１１ａ、花（造花）１１、遺影ケース１０、ローソク、線香、記念品としてのネームプレート、手引書としてのパンフレット類等の種々の付属品を収納して包装する。つまり、この第２実施形態においては、愛玩動物用棺１のパッケージ３０は、棺本体２であると同時に、棺本体２の中に愛玩動物の遺体と共に納める種々の納棺用付属品及び／又は棺本体２に供える種々の装飾用付属品を収納した付属品箱を兼ねる。
【００９７】
この棺本体２と光背３あるいは上蓋部材３３とが一体とされ、さらに棺本体２を構成する中蓋部材４と本体部材５も一体とされたワンピースの愛玩動物用棺１は、ダンボール紙で作製されている。図１７にその展開図（ワンピース愛玩動物用棺１の組立用展開シート５０）を示した。
【００９８】
以上、具体例を挙げて詳しく説明したように、本実施形態では、愛玩動物の遺体を安置するための愛玩動物用棺１において、棺本体２と光背３とを一体とし、光背３を、棺本体２の上面を覆う上蓋部材３３と兼用としたから、１つの部材を、例えば通夜や葬儀等のセレモニーの間は光背３として用い、通夜や葬儀の後の出棺時には上蓋部材３３として用いることができて、部材の共用化・部品点数の軽減化が図られる。しかも、上記のように、光背３と上蓋部材３３とでは使用される時期が違うので、１つの部材が無駄なく有効利用されることとなる。
【００９９】
その場合に、光背３を、上蓋部材３３を上方に山折りすることにより構成し、上蓋部材３３の表面を光背３の表面に転化させたから、例えば光背３の使用時に上蓋部材３３の無粋な裏面が出現したり、逆に、上蓋部材３３の使用時に光背３の無粋な裏面が出現したりすることがなく、常に同じ美麗な表面が現れることとなる。
【０１００】
そして、上蓋部材３３の山折り姿勢を保持するために棺本体２の上面に差込可能な舌片部４０を上蓋部材３３の縁部に設けたから、上蓋部材３３が安定して棺本体２の上面から光背３として起立することとなる。
【０１０１】
なお、この第２実施形態に係る愛玩動物用棺１は、第１実施形態に係る愛玩動物用棺に比べると小型であり、特に、小鳥やカメ、昆虫等の小動物に好適である。棺のサイズは、代表的１例として、２４０×１６０×８０（ミリ：外寸法）である。
【産業上の利用可能性】
【０１０２】
以上のように、本発明によれば、従来にない荘厳さや美麗さを演出して、愛玩動物を失った飼い主の虚しい心情をより和ませ満足させ得る愛玩動物用棺及びその組立キットが提供される。また、本発明によれば、葬祭行事を挙行し得る祭壇を棺本体に具備して、棺本体と祭壇との全体的な見栄えが改善された愛玩動物用棺及びその組立キットが提供される。本発明は、愛玩動物のための葬祭用具の技術分野において幅広い産業上の利用可能性を有する。
【図面の簡単な説明】
【０１０３】
【図１】本発明の第１の最良実施形態に係る愛玩動物用棺の全体構成を示す斜視図である。
【図２】上記愛玩動物用棺の棺本体を構成する本体部材にクッション材と防水シートと防臭シートとを納める様子を示す分解斜視図である。
【図３】次いで、上記本体部材に中蓋部材を取り付ける様子を示す分解斜視図である。
【図４】次いで、完成した棺本体に光背を取り付け、かつ光背の祭壇部に遺影及び花立てを設ける様子を示す分解斜視図である。
【図５】上記光背を取り付けた棺本体の背面図である。
【図６】上記光背を棺本体に取り付ける様子を示す右縦断面図であって、（ａ）は取付前、（ｂ）は取付後のものである。
【図７】上記棺本体の本体部材の展開図である。
【図８】上記棺本体の中蓋部材の展開図である。
【図９】上記光背の展開図である。
【図１０】上記愛玩動物用棺を保管・流通・販売するときのパッケージの外観を示す斜視図である。
【図１１】上記パッケージに包装された付属品箱とそこに収納された付属品の分解斜視図である。
【図１２】上記付属品箱の蓋を棺本体の上面を覆う上蓋部材に使用した状態を示す斜視図である。
【図１３】本発明の第２の最良実施形態に係る愛玩動物用棺の全体構成を示す斜視図である。
【図１４】上記愛玩動物用棺の上蓋部材及び中蓋部材を開いた状態を示す斜視図である。
【図１５】上記愛玩動物用棺の上蓋部材を開き、中蓋部材を閉じた状態を示す斜視図である。
【図１６】上記愛玩動物用棺の中蓋部材及び上蓋部材を閉じた状態を示す斜視図である。
【図１７】上記愛玩動物用棺の展開図である。
【符号の説明】
【０１０４】
１          愛玩動物用棺
１ａ        愛玩動物用棺の組立キット
２          棺本体
３          光背
４          中蓋部材
５          本体部材
６          見送り窓
７          光背の中央壁部
７ａ        光背の前壁部
７ｂ        光背の後壁部
８          光背の側壁部
９          祭壇部
１０        遺影
１１        花
１１ａ      花立て
１４ａ      前壁下部の下方延長部（取付部）
１５ａ      左右側壁部前部下部の下方延長部（取付部）
１６ａ      左右側壁部後部下部の下方延長部（取付部）
１６ｂ      凸部
１６ｃ      斜めスリット
２１        クッション材
２２        防水シート
２３        防臭シート
２４        本体部材の組立用展開シート
２５        中蓋部材の組立用展開シート
２６        光背の組立用展開シート
３０        パッケージ
３２        付属品箱
３３        上蓋部材
４０        舌片部
５０        ワンピース愛玩動物用棺の組立用展開シート
【図１】
2005349072.tif 000003
【図２】
2005349072.tif 000004
【図３】
2005349072.tif 000005
【図４】
2005349072.tif 000006
【図５】
2005349072.tif 000007
【図６】
2005349072.tif 000008
【図７】
2005349072.tif 000009
【図８】
2005349072.tif 000010
【図９】
2005349072.tif 000011
【図１０】
2005349072.tif 000012
【図１１】
2005349072.tif 000013
【図１２】
2005349072.tif 000014
【図１３】
2005349072.tif 000015
【図１４】
2005349072.tif 000016
【図１５】
2005349072.tif 000017
【図１６】
2005349072.tif 000018
【図１７】
2005349072.tif 000019